(57)【要約】      （修正有）【課題】副画素の輝度や視野角依存性を改善して表示装置の表示品位を高める。【解決手段】表示装置は、第１方向Ｄ１に延びる第１および第２映像信号線Ｓと、第２方向Ｄ２に延びる第１走査信号線Ｇ１と、第１走査信号線により制御され第１映像信号線Ｓ１と接続された第１画素電極ＰＥ１と、第１走査信号線により制御され第２映像信号線Ｓ２と接続された第２画素電極ＰＥ２とを備える。第１映像信号線は第１画素電極に隣り合う第１線部Ｌｂ１を有し、第２映像信号線は第２画素電極に隣り合う第２線部Ｌｂ２を有する。第１画素電極ＰＥ１は第１Ａ電極部Ｅ１ａと第１Ｂ電極部Ｅ１ｂを有し、第２画素電極ＰＥ２は第２Ａ電極部Ｅ２ａと第２Ｂ電極部Ｅ２ｂを有する。第１Ａ電極部は、第１線部に対し第１角度を有する。第１Ｂ電極部は、第１線部に対し第２角度を有する。第２Ａおよび第２Ｂ電極部は、第２線部に対し第３角度を有する。【選択図】図５
2019211568.tif 000002
【特許請求の範囲】
【請求項１】
第１方向に延びる第１映像信号線および第２映像信号線と、
前記第１方向に交差する第２方向に延びる第１走査信号線と、
前記第１走査信号線により制御され、前記第１映像信号線と電気的に接続された第１画素電極と、
前記第１走査信号線により制御され、前記第２映像信号線と電気的に接続された第２画素電極と、を備え、
前記第１映像信号線は、前記第２方向において前記第１画素電極に隣り合う第１線部を有し、
前記第２映像信号線は、前記第２方向において前記第２画素電極に隣り合う第２線部を有し、
前記第１画素電極は、前記第１方向において第１Ａ電極部と第１Ｂ電極部を有し、
前記第２画素電極は、前記第１方向において第２Ａ電極部と第２Ｂ電極部を有し、
前記第１Ａ電極部は、前記第１線部に対し第１回転方向において第１角度を有し、
前記第１Ｂ電極部は、前記第１線部に対し前記第１回転方向において前記第１角度と異なる第２角度を有し、
前記第２Ａ電極部および前記第２Ｂ電極部は、前記第２線部に対し前記第１回転方向において第３角度を有する、表示装置。
【請求項２】
前記第１角度は、２０°以上である、
請求項１に記載の表示装置。
【請求項３】
前記第１角度または前記第２角度は、５°以下であり、
前記第３角度は、５°以下である、
請求項１に記載の表示装置。
【請求項４】
前記第１画素電極は、
複数の前記第１Ａ電極部と、
複数の前記第１Ｂ電極部と、
前記第２方向に延び、前記複数の第１Ａ電極部および前記複数の第１Ｂ電極部を接続する第１連結部および第２連結部と、を含み、
前記複数の第１Ａ電極部の少なくとも一つは、前記第１連結部に接続されるとともに前記第２連結部に接続されず、
前記複数の第１Ｂ電極部の少なくとも一つは、前記第２連結部に接続されるとともに前記第１連結部に接続されない、
請求項１乃至３のうちいずれか１項に記載の表示装置。
【請求項５】
前記第１連結部に接続される前記第１Ａ電極部の位置と、前記第１連結部に接続される前記第１Ｂ電極部の位置とが、前記第２方向においてずれている、
請求項４に記載の表示装置。
【請求項６】
平面視において、前記第１Ｂ電極部は、前記第１映像信号線と重畳する、
請求項１ないし５のうちいずれか１項に記載の表示装置。
【請求項７】
前記第１画素電極は、複数の前記第１Ａ電極部と、複数の前記第１Ｂ電極部と、を含み、
前記第１Ａ電極部の数と、前記第１Ｂ電極部の数とが異なる、
請求項１ないし６のうちいずれか１項に記載の表示装置。
【請求項８】
複数の前記第１画素電極と、複数の前記第２画素電極とを備え、
前記第１画素電極の数は、前記第２画素電極の数よりも少ない、
請求項１ないし７のうちいずれか１項に記載の表示装置。
【請求項９】
複数の前記第１画素電極と、複数の前記第２画素電極と、前記第１走査信号線を含む複数の走査信号線と、を備え、
最も近接する２つの前記第１画素電極は、異なる前記走査信号線によって制御される、
請求項１ないし８のうちいずれか１項に記載の表示装置。
【請求項１０】
前記第１画素電極は、白色の副画素に配置される、
請求項１ないし９のうちいずれか１項に記載の表示装置。
【請求項１１】
前記第１映像信号線および前記第２映像信号線を含む複数の映像信号線を備え、
隣り合う前記映像信号線に供給される映像信号の極性が異なる、
請求項１ないし１０のうちいずれか１項に記載の表示装置。
【請求項１２】
前記第１Ａ電極部は、前記第２方向において前記第２Ａ電極部と隣り合い、
前記第１Ｂ電極部は、前記第２方向において前記第２Ｂ電極部と隣り合う、
請求項１ないし１１のうちいずれか１項に記載の表示装置。
【発明の詳細な説明】
【技術分野】
【０００１】
本発明の実施形態は、表示装置に関する。
【背景技術】
【０００２】
表示装置の一例として、液晶表示装置が知られている。液晶表示装置においては、視野角依存性を改善して表示品位を高めるべく、種々の工夫がなされている。例えば、副画素に配置される画素電極に異なる方向に延びる複数の部分を設けることでマルチドメインを実現すれば、視野角依存性が改善する。また、近接する同一色の副画素の画素電極をそれぞれ異なる方向に傾けることで疑似的なマルチドメインを実現する技術も知られている。
【先行技術文献】
【特許文献】
【０００３】
【特許文献１】特開２０１６−５０９８７号公報
【発明の概要】
【発明が解決しようとする課題】
【０００４】
マルチドメインの画素電極を採用した場合、異なる方向に延びる複数の部分の境界においては液晶分子が回転しないため、副画素において低輝度領域が生じ得る。また、疑似的なマルチドメインを採用した場合、特定の画素レイアウトや駆動条件においては十分に視野角依存性が改善しない可能性がある。  
本開示の目的の一つは、副画素の輝度や視野角依存性を改善して表示品位を高めた表示装置を提供することである。
【課題を解決するための手段】
【０００５】
一実施形態に係る表示装置は、第１方向に延びる第１映像信号線および第２映像信号線と、前記第１方向に交差する第２方向に延びる第１走査信号線と、前記第１走査信号線により制御され、前記第１映像信号線と電気的に接続された第１画素電極と、前記第１走査信号線により制御され、前記第２映像信号線と電気的に接続された第２画素電極と、を備える。前記第１映像信号線は、前記第２方向において前記第１画素電極に隣り合う第１線部を有する。前記第２映像信号線は、前記第２方向において前記第２画素電極に隣り合う第２線部を有する。前記第１画素電極は、前記第１方向において第１Ａ電極部と第１Ｂ電極部を有する。前記第２画素電極は、前記第１方向において第２Ａ電極部と第２Ｂ電極部を有する。前記第１Ａ電極部は、前記第１線部に対し第１回転方向において第１角度を有する。前記第１Ｂ電極部は、前記第１線部に対し前記第１回転方向において前記第１角度と異なる第２角度を有する。前記第２Ａ電極部および前記第２Ｂ電極部は、前記第２線部に対し前記第１回転方向において第３角度を有する。
【図面の簡単な説明】
【０００６】
【図１】図１は、第１実施形態における液晶表示装置の概略的な構成を示す図である。
【図２】図２は、第１実施形態における表示パネルの概略的な断面図である。
【図３】図３は、第１実施形態における画素レイアウトの一例を示す図である。
【図４】図４は、図３に示した画素レイアウトに適用し得る具体的な構造の一例を示す平面図である。
【図５】図５は、第１実施形態における第１画素電極と第２画素電極を拡大して示す平面図である。
【図６】図６は、第１比較例における画素構造を示す平面図である。
【図７】図７は、第２比較例における画素構造を示す平面図である。
【図８】図８は、第２実施形態の画素レイアウトに適用し得る具体的な構造の一例を示す平面図である。
【図９】図９は、第３実施形態に係る第１画素電極の一例を示す平面図である。
【図１０】図１０は、第４実施形態における画素レイアウトの一例を示す図である。
【図１１】図１１は、第４実施形態の画素レイアウトに適用し得る具体的な構造の一例を示す平面図である。
【図１２】図１２は、第４実施形態における第１画素電極と第２画素電極を拡大して示す平面図である。
【図１３】図１３は、第５実施形態の画素レイアウトに適用し得る具体的な構造の一例を示す平面図である。
【発明を実施するための形態】
【０００７】
一実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を省略することがある。
【０００８】
本明細書において「αはＡ，Ｂ又はＣを含む」、「αはＡ，Ｂ及びＣのいずれかを含む」、「αはＡ，Ｂ及びＣからなる群から選択される一つを含む」といった表現は、特に明示がない限り、αがＡ〜Ｃの複数の組み合わせを含む場合を排除しない。さらに、これらの表現は、αが他の要素を含む場合も排除しない。
【０００９】
本明細書における「第１α、第２α、第３α」という表現の「第１、第２、第３」は、要素を説明のために用いる便宜的な数字に過ぎない。つまり、特に明示が無い限り、「Ａが第３αを備える」という表現は、第３αの他の第１α及び第２αを、Ａが備えていない場合も含む。
【００１０】
本明細書において、「部材αの上の部材β」や「部材αの下の部材β」という表現は、部材αと部材βが接触している場合だけでなく、部材αと部材βの間に他の部材が介在している場合を含み得る。
【００１１】
各実施形態においては、表示装置の一例として液晶表示装置を開示する。ただし、各実施形態は、他種の表示装置に対する、各実施形態にて開示される個々の技術的思想の適用を妨げるものではない。他種の表示装置としては、例えば、ＬＥＤ（Light Emitting Diode）または有機エレクトロルミネッセンス（ＥＬ）表示素子を有する自発光型の表示装置、電気泳動素子等を有する電子ペーパ型の表示装置、ＭＥＭＳ（Micro Electro Mechanical System）を応用した表示装置、エレクトロクロミズムを応用した表示装置等が想定される。
【００１２】
［第１実施形態］  
図１は、第１実施形態における液晶表示装置ＤＳＰ（以下、単に表示装置ＤＳＰと呼ぶ）の概略的な構成を示す図である。表示装置ＤＳＰは、表示パネルＰＮＬと、フレキシブル回路基板ＦＰＣと、コントローラＣＴと、バックライトＢＬとを備えている。表示パネルＰＮＬは、第１基板ＳＵＢ１と、第２基板ＳＵＢ２と、これら基板ＳＵＢ１，ＳＵＢ２の間に配置された液晶層ＬＣとを備えている。
【００１３】
表示パネルＰＮＬは、複数の副画素ＳＰを含む表示領域ＤＡと、表示領域ＤＡの周辺の周辺領域ＰＡとを有している。周辺領域ＰＡには端子Ｔが設けられており、この端子Ｔにフレキシブル回路基板ＦＰＣが接続されている。図示した例では、コントローラＣＴがフレキシブル回路基板ＦＰＣに設けられている。コントローラＣＴは、例えば第１基板ＳＵＢ１など他の部材に設けられてもよい。バックライトＢＬは、表示パネルＰＮＬの背面に対向しており、表示に用いる光を供給する。
【００１４】
第１基板ＳＵＢ１は、複数の映像信号線Ｓと、複数の走査信号線Ｇと、各映像信号線Ｓが接続されたソースドライバＳＤと、各走査信号線Ｇが接続されたゲートドライバＧＤとを備えている。複数の映像信号線Ｓは、第１方向Ｄ１に延びるとともに第２方向Ｄ２に並んでいる。複数の走査信号線Ｇは、第２方向Ｄ２に延びるとともに第１方向Ｄ１に並んでいる。ソースドライバＳＤは、コントローラＣＴの制御の下で各映像信号線Ｓに映像信号を供給する。ゲートドライバＧＤは、コントローラＣＴの制御の下で各走査信号線Ｇに走査信号を供給する。
【００１５】
第１基板ＳＵＢ１は、各副画素ＳＰに配置された画素電極ＰＥおよびトランジスタＴＲを備えている。さらに、第１基板ＳＵＢ１は、複数の副画素ＳＰにわたって延在する共通電極ＣＥを備えている。
【００１６】
図２は、表示領域ＤＡにおける表示パネルＰＮＬの概略的な断面図である。第１基板ＳＵＢ１は、第１基材１０と、絶縁層１１〜１４と、第１配向膜１５とを備えている。トランジスタＴＲは、半導体層ＳＣと、中継電極ＲＥとを備えている。
【００１７】
半導体層ＳＣは、第１基材１０の上に形成されている。絶縁層１１は、半導体層ＳＣおよび第１基材１０を覆っている。走査信号線Ｇは、絶縁層１１の上に形成されている。絶縁層１２は、走査信号線Ｇおよび絶縁層１１を覆っている。映像信号線Ｓおよび中継電極ＲＥは、絶縁層１２の上に形成されている。絶縁層１３は、映像信号線Ｓ、中継電極ＲＥおよび絶縁層１２を覆っている。共通電極ＣＥは、絶縁層１３の上に形成されている。絶縁層１４は、共通電極ＣＥを覆っている。画素電極ＰＥは、絶縁層１４の上に形成されている。第１配向膜１５は、画素電極ＰＥおよび絶縁層１４を覆っている。
【００１８】
第２基板ＳＵＢ２は、第２基材２０と、遮光層２１（ブラックマトリクス）と、カラーフィルタ層２２と、オーバーコート層２３と、第２配向膜２４とを備えている。遮光層２１は、第２基材２０の下に形成され、走査信号線Ｇ、映像信号線Ｓおよび中継電極ＲＥと対向している。カラーフィルタ層２２は、遮光層２１および第２基材２０を覆っている。オーバーコート層２３は、カラーフィルタ層２２を覆っている。第２配向膜２４は、オーバーコート層２３を覆っている。
【００１９】
副画素ＳＰは、例えば遮光層２１によって規定される領域である。副画素ＳＰは、図１に示したように、隣り合う２本の映像信号線Ｓと、隣り合う２本の走査信号線Ｇとで規定される領域ということもできる。また、副画素ＳＰは、画素電極ＰＥが配置される領域ということもできる。
【００２０】
表示パネルＰＮＬは、スペーサ３０をさらに備えている。スペーサ３０は、第１基板ＳＵＢ１と第２基板ＳＵＢ２の間に配置され、これら基板の間隔（セルギャップ）を保つ。表示領域ＤＡ全体においては、複数のスペーサ３０が分散配置されている。図示した例では、スペーサ３０が第２基板ＳＵＢ２から延出しているが、第１基板ＳＵＢ１から延出してもよい。スペーサ３０の先端は、第１基板ＳＵＢ１に接触している。先端が第１基板ＳＵＢ１に接触しないスペーサ３０が存在してもよい。
【００２１】
液晶層ＬＣは、配向膜１５，２４の間に配置されている。第１基材１０の下面には第１偏光板ＰＬ１が配置され、第２基材２０の上面には第２偏光板ＰＬ２が配置されている。表示パネルＰＮＬの構造は図２の例に限られず、種々の構成を適用できる。
【００２２】
図３は、本実施形態における画素レイアウトの一例を示す図である。上述の表示領域ＤＡは、複数の画素ＰＸ１と、複数の画素ＰＸ２とを含む。画素ＰＸ１は、赤色の副画素ＳＰｒ１１，ＳＰｒ１２と、緑色の副画素ＳＰｇ１１，ＳＰｇ１２と、青色の副画素ＳＰｂ１と、白色の副画素ＳＰｗ１とを含む。画素ＰＸ２は、赤色の副画素ＳＰｒ２１，ＳＰｒ２２と、緑色の副画素ＳＰｇ２１，ＳＰｇ２２と、青色の副画素ＳＰｂ２と、白色の副画素ＳＰｗ２とを含む。
【００２３】
副画素ＳＰｒ１１と副画素ＳＰｒ１２、副画素ＳＰｇ１１と副画素ＳＰｇ１２、副画素ＳＰｂ１と副画素ＳＰｗ１、副画素ＳＰｒ２１と副画素ＳＰｒ２２、副画素ＳＰｇ２１と副画素ＳＰｇ２２、副画素ＳＰｗ２と副画素ＳＰｂ２は、それぞれ第１方向Ｄ１に並んでいる。副画素ＳＰｒ１１，ＳＰｇ１１，ＳＰｂ１，ＳＰｒ２１，ＳＰｇ２１，ＳＰｗ２は、この順で第２方向Ｄ２に並んでいる。副画素ＳＰｒ１２，ＳＰｇ１２，ＳＰｗ１，ＳＰｒ２２，ＳＰｇ２２，ＳＰｂ２は、この順で第２方向Ｄ２に並んでいる。
【００２４】
表示領域ＤＡの全体においては、画素ＰＸ１が第１方向Ｄ１に連続して並んでいる。同様に、画素ＰＸ２が第１方向Ｄ１に連続して並んでいる。また、画素ＰＸ１と画素ＰＸ２が第２方向Ｄ２に交互に並んでいる。
【００２５】
副画素ＳＰｒ１１，ＳＰｇ１１，ＳＰｂ１，ＳＰｒ２１，ＳＰｇ２１，ＳＰｗ２は、図中の下端が上端よりも右方に突出するように第１方向Ｄ１に対して傾いている。副画素ＳＰｒ１２，ＳＰｇ１２，ＳＰｗ１，ＳＰｒ２２，ＳＰｇ２２，ＳＰｂ２は、図中の下端が上端よりも左方に突出するように第１方向Ｄ１に対して傾いている。
【００２６】
なお、表示領域ＤＡの画素レイアウトは、図３以外にも種々のものを採用し得る。例えば、図３の例においては画素ＰＸ１，ＰＸ２に赤色の副画素ＳＰと緑色の副画素ＳＰがそれぞれ２つずつ配置され、青色の副画素ＳＰと白色の副画素ＳＰがそれぞれ１つずつ配置されているが、各色の副画素の数はこれに限られない。また、表示領域ＤＡには赤色、緑色、青色および白色以外の副画素ＳＰが配置されてもよい。
【００２７】
表示装置ＤＳＰの駆動方式としては、例えば、フレーム反転駆動、カラム反転駆動、ライン反転駆動、およびドット反転駆動など、種々の方式を採用し得る。フレーム反転駆動においては、フレームごとに各副画素ＳＰに供給する映像信号の極性を反転させる。カラム反転駆動においては、第１方向Ｄ１に並ぶ副画素ＳＰのカラムごとに映像信号の極性を反転させる。ライン反転駆動においては、第２方向Ｄ２に並ぶ副画素ＳＰのラインごとに映像信号の極性を反転させる。ドット反転駆動においては、第１方向Ｄ１および第２方向Ｄ２の双方について、隣り合う副画素ＳＰの映像信号の極性を反転させる。
【００２８】
図３においては、カラム反転駆動時の副画素ＳＰの極性を例示している。「＋」を付した副画素ＳＰには正極性の映像信号が供給され、「−」を付した副画素ＳＰには負極性の映像信号が供給されている。すなわち、カラム反転駆動においては隣り合う映像信号線Ｓに供給される映像信号の極性が異なる。図示した正極性と負極性は、フレームごとに反転してもよい。また、第２方向Ｄ２に連続する複数のカラムごとに正極性と負極性が反転してもよい。
【００２９】
表示装置ＤＳＰは、一般的なフレーム周波数よりも低いフレーム周波数で画像を表示する低周波駆動を実行可能であってもよい。例えば一般的なフレーム周波数は６０Ｈｚであり、この場合においては低周波駆動でのフレーム周波数を例えば３０Ｈｚや１５Ｈｚにしてもよい。このような低周波駆動を採用すれば、表示装置ＤＳＰの消費電力を低減することができる。
【００３０】
図４は、図３に示した画素レイアウトに適用し得る具体的な構造の一例を示す平面図である。図４には、副画素ＳＰｂ１，ＳＰｗ１，ＳＰｒ２１，ＳＰｒ２２，ＳＰｇ２１，ＳＰｇ２２，ＳＰｗ２，ＳＰｂ２における映像信号線Ｓ、走査信号線Ｇ、画素電極ＰＥおよびトランジスタＴＲ（半導体層ＳＣ）を示している。
【００３１】
映像信号線Ｓは、複数の屈曲部ＢＰと、屈曲部ＢＰの間で直線状に延びる線部Ｌａ，Ｌｂとを有し、全体的に第１方向Ｄ１に延びている。線部Ｌａは、図４中の上方の走査信号線Ｇと中央の走査信号線Ｇとの間にある。線部Ｌｂは、図４中の中央の走査信号線Ｇと下方の走査信号線Ｇとの間にある。線部Ｌａは、第１方向Ｄ１に対し、第１回転方向Ｒ１に角度θａで傾いている。線部Ｌｂは、第１方向Ｄ１に対し、第１回転方向Ｒ１の反対の第２回転方向Ｒ２に角度θｂで傾いている。角度θａ，θｂは、いずれも鋭角である。図示した例において、角度θａ，θｂは同じ角度であるが、異なる角度であってもよい。
【００３２】
副画素ＳＰｗ１，ＳＰｗ２には、第１画素電極ＰＥ１が配置されている。副画素ＳＰｂ１，ＳＰｒ２１，ＳＰｒ２２，ＳＰｇ２１，ＳＰｇ２２，ＳＰｂ２には、第２画素電極ＰＥ２が配置されている。副画素ＳＰｗ１，ＳＰｗ２の第１画素電極ＰＥ１および副画素ＳＰｒ２１，ＳＰｒ２２，ＳＰｇ２１，ＳＰｇ２２の第２画素電極ＰＥ２は、いずれも隣り合う２本の映像信号線Ｓと、隣り合う２本の走査信号線Ｇとで囲われた領域に配置されている。一方、副画素ＳＰｂ１，ＳＰｂ２の第２画素電極ＰＥ２は、いずれも走査信号線Ｇを超えて延在している。すなわち、図４の例においては、青色の副画素ＳＰｂ１，ＳＰｂ２の第１方向Ｄ１における幅が他の副画素ＳＰに比べて大きい。
【００３３】
半導体層ＳＣは、接続位置Ｐ１において映像信号線Ｓに接続され、接続位置Ｐ２において画素電極ＰＥ（ＰＥ１，ＰＥ２）に接続されている。接続位置Ｐ１は、トランジスタＴＲのソース電極に相当する。接続位置Ｐ２は、トランジスタＴＲのドレイン電極に相当する。接続位置Ｐ２においては図２に示した中継電極ＲＥが画素電極ＰＥと半導体層ＳＣの間に介在するが、図４においては中継電極ＲＥの図示を省略している。各副画素ＳＰは、半導体層ＳＣが接続された映像信号線Ｓおよび走査信号線Ｇによって制御される。
【００３４】
副画素ＳＰｒ２１，ＳＰｇ２１，ＳＰｗ２において、接続位置Ｐ１は、図中の中央の走査信号線Ｇと図中の下方の走査信号線Ｇとの間にあり、接続位置Ｐ２は、図中の上方の走査信号線Ｇと中央の走査信号線Ｇとの間にある。一方、副画素ＳＰｂ１において、接続位置Ｐ１は、図中の上方の走査信号線Ｇと中央の走査信号線Ｇとの間にあり、接続位置Ｐ２は、図中の中央の走査信号線Ｇと下方の走査信号線Ｇとの間にある。副画素ＳＰｗ１，ＳＰｒ２２，ＳＰｇ２２，ＳＰｂ２における半導体層ＳＣの接続位置Ｐ１，Ｐ２は、副画素ＳＰｗ２，ＳＰｒ２１，ＳＰｇ２１，ＳＰｂ１と同様である。
【００３５】
副画素ＳＰｒ２１，ＳＰｒ２２，ＳＰｇ２１，ＳＰｇ２２の第２方向Ｄ２における幅は、Ｗ１である。副画素ＳＰｂ１，ＳＰｂ２の第２方向Ｄ２における幅は、Ｗ２である。副画素ＳＰｗ１，ＳＰｗ２の第２方向Ｄ２における幅は、Ｗ３である。図４の例においては、Ｗ１＜Ｗ３＜Ｗ２が成り立つ。なお、幅Ｗ１〜Ｗ３は、隣り合う映像信号線Ｓの間隔に相当する。映像信号線Ｓの屈曲部ＢＰは、このような各副画素ＳＰの形状が実現可能となるように、各所に設けられている。
【００３６】
このように、赤色および緑色の副画素ＳＰに比べて数が少ない青色および白色の副画素ＳＰの第２方向Ｄ２における幅を広げることで、図３に示した画素ＰＸ１，ＰＸ２における各色の輝度を調整することができる。さらに、白色の副画素ＳＰに比べて輝度が低い青色の副画素ＳＰの第１方向Ｄ１における幅を大きくすることで、より好適に輝度を調整することができる。
【００３７】
各副画素ＳＰの形状は、図４の例に限られない。例えば、幅Ｗ３は、幅Ｗ１および幅Ｗ２のいずれかと同じであってもよい。また、幅Ｗ１〜Ｗ３が同じであってもよい。青色の副画素ＳＰｂ１，ＳＰｂ２の第２画素電極ＰＥ２は、他の画素電極ＰＥと同じく隣り合う２本の映像信号線Ｓと、隣り合う２本の走査信号線Ｇとで囲われた領域に配置されてもよい。青色以外の副画素ＳＰの画素電極ＰＥが走査信号線Ｇを超えて延在してもよい。
【００３８】
副画素ＳＰｂ１，ＳＰｂ２の第２画素電極ＰＥ２、副画素ＳＰｒ２１，ＳＰｒ２２の第２画素電極ＰＥ２、副画素ＳＰｇ２１，ＳＰｇ２２の第２画素電極ＰＥ２、副画素ＳＰｗ１，ＳＰｗ２の第１画素電極ＰＥ１は、それぞれ第１方向Ｄ１に関して線対称の形状を有している。このように副画素ＳＰの画素電極ＰＥの形状を定めることで、赤色、緑色および青色の副画素ＳＰについては疑似的なマルチドメイン（デュアルドメイン）の画素レイアウトを実現できる。白色の副画素ＳＰｗ１，ＳＰｗ２については、後述するようにそれぞれの副画素ＳＰにおいてマルチドメインを実現している。なお、図３に示した副画素ＳＰｒ１１，ＳＰｒ１２，ＳＰｇ１１，ＳＰｇ１２は、図４に示した副画素ＳＰｒ２１，ＳＰｒ２２，ＳＰｇ２１，ＳＰｇ２２と同様の構成を有している。
【００３９】
本実施形態においては、白色の副画素ＳＰｗ１，ＳＰｗ２に第１画素電極ＰＥ１が配置され、他の副画素ＳＰに第２画素電極ＰＥ２が配置されているため、表示領域ＤＡ全体においては第１画素電極ＰＥ１の数が第２画素電極ＰＥ２の数よりも少ない。具体的には、第１画素電極ＰＥ１の数は、第２画素電極ＰＥ２の数の１／５である。ただし、表示領域ＤＡ全体における第１画素電極ＰＥ１の数は、第２画素電極ＰＥ２の数の１／５より多くてもよいし、第２画素電極ＰＥ２の数の１／５より少なくてもよい。
【００４０】
続いて、第１画素電極ＰＥ１および第２画素電極ＰＥ２の形状について説明する。図５は、副画素ＳＰｗ１，ＳＰｒ２２の近傍を拡大して示す平面図である。図５においては、半導体層ＳＣの図示を省略するとともに、遮光層２１およびスペーサ３０の配置例を示している。
【００４１】
第１画素電極ＰＥ１は、複数の第１Ａ電極部Ｅ１ａと、複数の第１Ｂ電極部Ｅ１ｂと、第１連結部ＣＰ１１と、第２連結部ＣＰ１２と、ベース部ＢＳ１とを備えている。ベース部ＢＳ１は、上述の接続位置Ｐ２にて半導体層ＳＣが接続される部分である。
【００４２】
図５の例においては、第１Ａ電極部Ｅ１ａの数が３本であり、第１Ｂ電極部Ｅ１ｂの数が４本である。すなわち、第１Ａ電極部Ｅ１ａの数と、第１Ｂ電極部Ｅ１ｂの数とが異なる。各電極部Ｅ１ａ，Ｅ１ｂの数は、図５の例に限られない。例えば、第１Ａ電極部Ｅ１ａの数が第１Ｂ電極部Ｅ１ｂの数より多くてもよいし、第１Ａ電極部Ｅ１ａの数と第１Ｂ電極部Ｅ１ｂの数とが同じであってもよい。
【００４３】
各第１Ａ電極部Ｅ１ａの一端はベース部ＢＳ１に接続され、他端は第１連結部ＣＰ１１に接続されている。４本の第１Ｂ電極部Ｅ１ｂのうち、中央の２本の一端は第１連結部ＣＰ１１に接続され、他端は第２連結部ＣＰ１２に接続されている。左端の第１Ｂ電極部Ｅ１ｂの一端は第１連結部ＣＰ１１に接続され、他端は第２連結部ＣＰ１２に接続されていない。右端の第１Ｂ電極部Ｅ１ｂの一端は第２連結部ＣＰ１２に接続され、他端は第１連結部ＣＰ１１に接続されていない。
【００４４】
仮に、図５中の第１連結部ＣＰ１１と右端の第１Ｂ電極部Ｅ１ｂを延長して互いに接続したり、第２連結部ＣＰ１２と左端の第１Ｂ電極部Ｅ１ｂを延長して互いに接続したりする場合、第１画素電極ＰＥ１が映像信号線Ｓを超えて他の副画素ＳＰに延在し得る。これに対し、図５の第１画素電極ＰＥ１の形状であれば、副画素ＳＰｗ１の領域内に第１画素電極ＰＥ１を収めることができる。
【００４５】
図５に示すように、第１連結部ＣＰ１１に接続される第１Ａ電極部Ｅ１ａの位置と、第１連結部ＣＰ１１に接続される第１Ｂ電極部Ｅ１ｂの位置とが、第２方向Ｄ２においてずれてもよい。また、図５に示すように、左端と右端の第１Ｂ電極部Ｅ１ｂの先端がそれぞれ映像信号線Ｓに重畳してもよい。このように各電極部Ｅ１ａ，Ｅ１ｂの位置や形状を調整することによっても、副画素ＳＰｗ１の領域内のスペースを有効に活用できる。
【００４６】
第２画素電極ＰＥ２は、複数の第２電極部Ｅ２と、連結部ＣＰ２と、ベース部ＢＳ２とを備えている。ベース部ＢＳ２は、上述の接続位置Ｐ２にて半導体層ＳＣが接続される部分である。各第２電極部Ｅ２の一端がベース部ＢＳ２に接続され、他端が連結部ＣＰ２に接続されている。図５の例においては、第２電極部Ｅ２の数が３本である。すなわち、第２電極部Ｅ２の数と、第１画素電極ＰＥ１の第１Ａ電極部Ｅ１ａの数とが異なる。ただし、第２電極部Ｅ２の数は、図５の例に限られない。
【００４７】
第２電極部Ｅ２は、第２Ａ電極部Ｅ２ａと、第２Ｂ電極部Ｅ２ｂとを含む。例えば、第２Ａ電極部Ｅ２ａは第２電極部Ｅ２のベース部ＢＳ２側の半分に相当し、第２Ｂ電極部Ｅ２ｂは第２電極部Ｅ２の連結部ＣＰ２側の半分に相当する。他の観点から言うと、第２Ａ電極部Ｅ２ａは第２電極部Ｅ２のうち第１Ａ電極部Ｅ１ａと第２方向Ｄ２に並ぶ部分であり、第２Ｂ電極部Ｅ２ｂは第２電極部Ｅ２のうち第１Ｂ電極部Ｅ１ｂと第２方向Ｄ２に並ぶ部分である。
【００４８】
以下、第１画素電極ＰＥ１と電気的に接続される映像信号線Ｓを第１映像信号線Ｓ１と呼び、第２画素電極ＰＥ２と電気的に接続される映像信号線Ｓを第２映像信号線Ｓ２と呼ぶ。第１映像信号線Ｓ１の副画素ＳＰに対応する線部Ｌｂを第１線部Ｌｂ１と呼び、第２映像信号線Ｓ２の副画素ＳＰに対応する線部Ｌｂを第２線部Ｌｂ２と呼ぶ。さらに、図中下方の走査信号線Ｇを第１走査信号線Ｇ１と呼び、図中上方の走査信号線Ｇを第２走査信号線Ｇ２と呼ぶ。第１走査信号線Ｇ１は、図４に示した副画素ＳＰｗ１，ＳＰｒ２２，ＳＰｇ２２，ＳＰｂ２のトランジスタＴＲを制御する。第２走査信号線Ｇ２は、図４に示した副画素ＳＰｂ１，ＳＰｒ２１，ＳＰｇ２１，ＳＰｗ２のトランジスタＴＲを制御する。
【００４９】
第１Ａ電極部Ｅ１ａおよび第１Ｂ電極部Ｅ１ｂは、第１線部Ｌｂ１と第２方向Ｄ２に隣り合う。第２Ａ電極部Ｅ２ａおよび第２Ｂ電極部Ｅ２ｂは、第２線部Ｌｂ２と第２方向Ｄ２に隣り合う。第１Ａ電極部Ｅ１ａは、第１線部Ｌｂ１に対し第１回転方向Ｒ１において第１角度θ１を有している。第１Ｂ電極部Ｅ１ｂは、第１線部Ｌｂ１に対し第１回転方向Ｒ１において第２角度θ２を有している。第２Ａ電極部Ｅ２ａおよび第２Ｂ電極部Ｅ２ｂは、第２線部Ｌｂ２に対し第１回転方向Ｒ１において第３角度θ３を有している。
【００５０】
第１角度θ１と第２角度θ２は、互いに異なる角度である。第３角度θ３は、第１角度θ１および第２角度θ２の一方と同じ角度であってもよいし、双方と異なる角度であってもよい。第１角度θ１および第２角度θ２の少なくとも一方は、５°以下であることが好ましい。また、第３角度θ３は、５°以下であることが好ましい。これにより、副画素ＳＰｗ１，ＳＰｒ２２内のスペースを有効に活用することができる。図５の例においては、第１角度θ１と第３角度θ３がいずれも０°であり、第２角度θ２が１０°である。
【００５１】
遮光層２１は、走査信号線Ｇ（Ｇ１，Ｇ２含む）と重畳する第１部分２１ａと、映像信号線Ｓ（Ｓ１，Ｓ２含む）と重畳する第２部分２１ｂとを有している。第１部分２１ａと第２部分２１ｂとで囲われた領域が、副画素ＳＰｗ１，ＳＰｒ２２の表示に寄与する画素開口である。ベース部ＢＳ１，ＢＳ２および連結部ＣＰ１２，ＣＰ２は、第１部分２１ａと重畳している。
【００５２】
図４に示したように、副画素ＳＰｂ１の第２画素電極ＰＥ２は、第２走査信号線Ｇ２を副画素ＳＰｗ１側に超えている。この第２画素電極ＰＥ２のベース部ＢＳ２を遮光する必要があるため、図５の例においては副画素ＳＰｗ１の上方の第１部分２１ａが第１画素電極ＰＥ１側に突出している。これにより、第１部分２１ａに屈曲部２１ｃが形成されている。同様の屈曲部２１ｃは、図４に示した副画素ＳＰｗ２の上方にも形成される。
【００５３】
スペーサ３０は、例えば映像信号線Ｓ（図５においては第２映像信号線Ｓ２）と走査信号線Ｇ（図５においては走査信号線Ｇ１，Ｇ２）とが交差する位置の近傍に配置されている。遮光層２１は、スペーサ３０の近傍において、拡張部分２１ｄを有している。拡張部分２１ｄは、第１部分２１ａの第１方向Ｄ１における幅（または第２部分２１ｂの第２方向Ｄ２における幅）を拡げた部分である。拡張部分２１ｄは、例えば図示したようにスペーサ３０と同心円状であるが、他の形状であってもよい。スペーサ３０の近傍の領域においては、液晶分子の配向が乱れ得る。拡張部分２１ｄは、この領域を遮光し、配向の乱れに起因した表示品位の低下を抑制する。
【００５４】
スペーサ３０を屈曲部２１ｃに配置すると、拡張部分２１ｄにより周囲の副画素ＳＰの開口面積が大きく低下し得る。そこで、スペーサ３０は、屈曲部２１ｃを避けて配置されることが好ましい。また、白色の副画素ＳＰｗ１，ＳＰｗ２と青色の副画素ＳＰｂ１，ＳＰｂ２は他の色の副画素ＳＰに比べて数が少ない。これら副画素ＳＰｗ１，ＳＰｗ２，ＳＰｂ１，ＳＰｂ２の開口面積を大きく確保する観点からも、図５に示す位置にスペーサ３０が配置されることが好ましい。
【００５５】
図４に示すように、副画素ＳＰｗ１の第１画素電極ＰＥ１と最も近接する第１画素電極ＰＥ１は、副画素ＳＰｗ２の第１画素電極ＰＥ１である。副画素ＳＰｗ１の第１画素電極ＰＥ１は第１走査信号線Ｇ１によって制御され、副画素ＳＰｗ２の第１画素電極ＰＥ１は第２走査信号線Ｇ２によって制御される。すなわち、本実施形態においては、最も近接する２つの第１画素電極ＰＥ１がそれぞれ異なる走査信号線Ｇによって制御される。
【００５６】
なお、副画素ＳＰｒ１２，ＳＰｇ１２，ＳＰｇ２２，ＳＰｂ２には、図５に示した副画素ＳＰｒ２２と同様の構造を適用できる。副画素ＳＰｗ２には、図５に示した副画素ＳＰｗ２の構造と第１方向Ｄ１に関して線対称な構造を適用できる。副画素ＳＰｒ１１，ＳＰｇ１１，ＳＰｂ１，ＳＰｒ２１，ＳＰｇ２１には、図５に示した副画素ＳＰｒ２２の構造と第１方向Ｄ１に関して線対称な構造を適用できる。
【００５７】
ここで、比較例を用いて本実施形態の効果を例示する。図６は、第１比較例に係る画素構造を示す平面図である。第１比較例においては、全ての副画素ＳＰに第２画素電極ＰＥ２が配置されている。図７は、第２比較例に係る画素構造を示す平面図である。第２比較例においては、全ての副画素ＳＰにマルチドメインの画素電極ＰＥｄが配置されている。この画素電極ＰＥｄは、異なる方向に延びる第１電極部Ｅｄ１と第２電極部Ｅｄ２を有している。
【００５８】
ここで、第１比較例において、副画素ＳＰｗ１のように第２画素電極ＰＥ２が傾斜する場合を第１ドメインと呼び、副画素ＳＰｗ２のように第２画素電極ＰＥ２が傾斜する場合を第２ドメインと呼ぶ。仮に上述のカラム反転駆動を実施した場合、副画素ＳＰｗ１が図示したように負極性となり、副画素ＳＰｗ２が図示したように正極性となる。あるいは、副画素ＳＰｗ１が正極性となり、副画素ＳＰｗ２が負極性となる。すなわち、白色の副画素ＳＰに関しては、表示領域ＤＡの全体において第１ドメインの極性が正または負の一方に固定され、第２ドメインが他方に固定される。
【００５９】
このようにドメインと極性の関係が固定されると、表示領域ＤＡを斜め方向から見た場合に、第１ドメインおよび第２ドメインの一方である副画素ＳＰｗ１の輝度と、他方である第２ドメインの副画素ＳＰｗ２の輝度とに差が出る。青色の副画素ＳＰｂ１，ＳＰｂ２においても同様である。このような輝度差に起因して、表示領域ＤＡにフリッカスジが視認され得る。フリッカスジは、上述の低周波駆動を実施した際に、特に視認され易い。また、フリッカスジは、比較的に高輝度である白色の副画素ＳＰに起因して生じ易い。
【００６０】
第２比較例においては、全ての副画素ＳＰがマルチドメインである。したがって、仮にカラム反転駆動を実施した場合であっても、フリッカスジは抑制される。一方、マルチドメインの副画素ＳＰにおいては、第１電極部Ｅｄ１と第２電極部Ｅｄ２の境界において、電圧印加時に液晶が回転しない領域が生じる。これにより、各色の副画素ＳＰの輝度（あるいは透過率）が低下する。
【００６１】
これらに対し、本実施形態においては、白色の副画素ＳＰｗ１，ＳＰｗ２が第１Ａ電極部Ｅ１ａと第１Ｂ電極部Ｅ１ｂを有するマルチドメインである。したがって、カラム反転駆動を実施した場合であっても、第１比較例で生じるようなフリッカスジが抑制される。さらに、副画素ＳＰｗ１，ＳＰｗ２以外の副画素ＳＰは、同一色の一対の副画素ＳＰで疑似的なマルチドメインを構成するものの、個々の副画素ＳＰ自体はマルチドメインではない。したがって、第２比較例で生じるような輝度の低下を抑制することができる。
【００６２】
本実施形態においては、各映像信号線Ｓは第１比較例と同じくシングルドメインに適した形状である。この場合、副画素ＳＰｗ１，ＳＰｗ２に配置する画素電極ＰＥを、第２比較例と同様の形状とすることが難しい。これに対し、図５を用いて説明した形状の第１画素電極ＰＥ１を用いることで、副画素ＳＰｗ１，ＳＰｗ２のスペースを有効に活用できる。
【００６３】
なお、本実施形態や後述する各実施形態の構成は、カラム反転駆動以外の駆動方法に対しても好適に作用し得る。例えば、ライン反転駆動やドット反転駆動において、特定の色の副画素ＳＰのドメインと極性が表示領域ＤＡの全体または一部で固定される場合には、それらの副画素ＳＰに第１画素電極ＰＥ１を配置してもよい。また、反転駆動を実施しない場合においても、必要に応じて特定の副画素ＳＰに第１画素電極ＰＥ１を配置してもよい。つまり、本実施形態の発明は、シングルドメイン形状の副画素ＳＰの領域に、マルチドメイン形状の画素電極ＰＥを形成する場合に適用できる。よって、以上の他にも、本実施形態は種々の態様に変形し得る。
【００６４】
［第２実施形態］  
第２実施形態について説明する。本実施形態において特に言及しない構成については、第１実施形態と同様の構成を適用し得る。  
図８は、第２実施形態の画素レイアウトに適用し得る具体的な構造の一例を示す平面図である。図８の例は、白色の副画素ＳＰｗ１，ＳＰｗ２だけでなく、青色の副画素ＳＰｂ１，ＳＰｂ２にも第１画素電極ＰＥ１が配置されている点で、図４と相違する。
【００６５】
図８の例において、副画素ＳＰｂ２の第１画素電極ＰＥ１は、４本の第１Ａ電極部Ｅ１ａと、６本の第１Ｂ電極部Ｅ１ｂと、第１連結部ＣＰ１１と、第２連結部ＣＰ１２と、ベース部ＢＳ１とを有している。すなわち、副画素ＳＰｂ２の第１画素電極ＰＥ１における各電極部Ｅ１ａ，Ｅ１ｂの数は、副画素ＳＰｗ１の第１画素電極ＰＥ１よりも多い。このように、第２方向Ｄ２における幅が大きい副画素ＳＰｂ２の第１画素電極ＰＥにおいて、各電極部Ｅ１ａ，Ｅ１ｂの数を多くすることで、副画素ＳＰｂのスペースを有効に活用して輝度を高めることができる。ただし、各電極部Ｅ１ａ，Ｅ１ｂの数は、副画素ＳＰｂ２，ＳＰｗ１で同じであってもよいし、副画素ＳＰｗ１の方が多くてもよい。また、副画素ＳＰｂ２の各電極部Ｅ１ａ，Ｅ１ｂの幅を、副画素ＳＰｗ１の各電極部Ｅ１ａ，Ｅ１ｂの幅よりも太くしてもよい。
【００６６】
副画素ＳＰｂ２の第１画素電極ＰＥにおいては、６本の第１Ｂ電極部Ｅ１ｂのうち、中央の２本の一端は第１連結部ＣＰ１１に接続され、他端は第２連結部ＣＰ１２に接続されている。左側の２本の第１Ｂ電極部Ｅ１ｂの一端は第１連結部ＣＰ１１に接続され、他端は第２連結部ＣＰ１２に接続されていない。右側の２本の第１Ｂ電極部Ｅ１ｂの一端は第２連結部ＣＰ１２に接続され、他端は第１連結部ＣＰ１１に接続されていない。ただし、この例に限られず、第１Ｂ電極部Ｅ１ｂと各連結部ＣＰ１１，ＣＰ１２の接続関係は種々の態様に変形し得る。副画素ＳＰｂ１の第１画素電極ＰＥ１は、副画素ＳＰｂ２の第１画素電極ＰＥ１と第１方向Ｄ１に関して線対称の形状を有している。
【００６７】
例えばカラム反転駆動を実施する場合には、白色の副画素ＳＰｗ１，ＳＰｗ２と同じく、青色の副画素ＳＰｂ１，ＳＰｂ２において上述のフリッカスジが生じ得る。本実施形態のように、副画素ＳＰｂ１，ＳＰｂ２にも第１画素電極ＰＥ１を配置する場合には、副画素ＳＰｂ１，ＳＰｂ２に起因したフリッカスジを抑制することができる。その他、副画素ＳＰｗ１，ＳＰｗ２に第１画素電極ＰＥ１を配置する場合の効果として第１実施形態において説明したものと同様の効果を得ることができる。
【００６８】
［第３実施形態］  
第３実施形態においては、第１画素電極ＰＥ１の変形例を開示する。図９は、本実施形態に係る第１画素電極ＰＥ１の一例を示す平面図である。第１画素電極ＰＥ１は、複数の第１電極部Ｅ１と、ベース部ＢＳ１とを有している。ここでは、３本の第１電極部Ｅ１を示しているが、より多くの第１電極部Ｅ１またはより少数の第１電極部Ｅ１を第１画素電極ＰＥ１が有してもよい。
【００６９】
各第１電極部Ｅ１の一端はベース部ＢＳ１に接続され、他端は互いに分離している。これら他端が上述の第２連結部ＣＰ１２と同様の連結部に接続されてもよい。第１電極部Ｅ１は、第１Ａ電極部Ｅ１ａと、第１Ｂ電極部Ｅ１ｂと、これら電極部Ｅ１ａ，Ｅ１ｂの間の屈曲部ＥＢとを有している。
【００７０】
第１Ａ電極部Ｅ１ａは、上述の第１線部Ｌｂ１に対し第１回転方向Ｒ１において第１角度θ１を有している。第１Ｂ電極部Ｅ１ｂは、上述の第１線部Ｌｂ１に対し第１回転方向Ｒ１において第２角度θ２を有している。屈曲部ＥＢにより第１電極部Ｅ１が屈曲しているため、第１Ａ電極部Ｅ１ａの図中上端と、第１Ｂ電極部Ｅ１ｂの図中下端とは、第２方向Ｄ２においてずれている。
【００７１】
本実施形態の形状の第１画素電極ＰＥ１であっても、上述の各実施形態と同様の効果を得ることができる。第１画素電極ＰＥは、その他にも種々の形状に変形し得る。
【００７２】
［第４実施形態］  
第４実施形態について説明する。本実施形態において特に言及しない構成については、第１実施形態と同様の構成を適用し得る。  
図１０は、第４実施形態における画素レイアウトの一例を示す図である。この画素レイアウトは、図３の例と同じく、副画素ＳＰｒ１１，ＳＰｒ１２，ＳＰｇ１１，ＳＰｇ１２，ＳＰｂ１，ＳＰｗ１を含む画素ＰＸ１と、副画素ＳＰｒ２１，ＳＰｒ２２，ＳＰｇ２１，ＳＰｇ２２，ＳＰｗ２，ＳＰｂ２を含む画素ＰＸ２とを有している。ただし、各副画素ＳＰは、いずれも第１方向Ｄ１に対して傾いていない。なお、図１０においては、カラム反転駆動時の副画素ＳＰの極性（＋／−）を例示している。本実施形態における表示装置ＤＳＰの駆動方式は、カラム反転駆動に限定されない。
【００７３】
図１１は、第４実施形態の画素レイアウトに適用し得る具体的な構造の一例を示す平面図である。本実施形態において、映像信号線Ｓは、複数の屈曲部ＢＰと、屈曲部ＢＰの間で直線状に延びる線部Ｌとを有している。線部Ｌは、第１方向Ｄ１と平行である。
【００７４】
副画素ＳＰｒ２１，ＳＰｒ２２，ＳＰｇ２１，ＳＰｇ２２の第２方向Ｄ２における幅は、Ｗ１である。副画素ＳＰｂ１，ＳＰｂ２の第２方向Ｄ２における幅は、Ｗ２である。副画素ＳＰｗ１，ＳＰｗ２の第２方向Ｄ２における幅は、Ｗ３である。図１１の例においては、Ｗ１＜Ｗ３＜Ｗ２が成り立つ。映像信号線Ｓの屈曲部ＢＰは、このような各副画素ＳＰの形状が実現可能となるように、各所に設けられている。なお、幅Ｗ１，Ｗ２，Ｗ３の関係は図示した例に限られない。例えば、幅Ｗ１〜Ｗ３が同じであってもよく、この場合には屈曲部ＢＰを設ける必要がない。
【００７５】
副画素ＳＰｗ１，ＳＰｗ２には、第１画素電極ＰＥ１が配置されている。他の副画素ＳＰには、第２画素電極ＰＥ２が配置されている。上述の各実施形態と同じく、副画素ＳＰｂ１，ＳＰｂ２の第２画素電極ＰＥ２は、それぞれの下方の走査信号線Ｇを超えて延在している。半導体層ＳＣと各副画素ＳＰの画素電極ＰＥとの接続態様は、図４の例と同様である。
【００７６】
続いて、第１画素電極ＰＥ１および第２画素電極ＰＥ２の形状について説明する。図１２は、副画素ＳＰｗ１，ＳＰｒ２２の近傍を拡大して示す平面図である。図１２においては、半導体層ＳＣの図示を省略するとともに、遮光層２１およびスペーサ３０の配置例を示している。遮光層２１は、図５の例と同じく、第１部分２１ａと、第２部分２１ｂと、拡張部分２１ｄとを有している。
【００７７】
以下、副画素ＳＰｗ１の第１画素電極ＰＥ１と電気的に接続される映像信号線Ｓを第１映像信号線Ｓ１と呼び、副画素ＳＰｒ２２の第２画素電極ＰＥ２と電気的に接続される映像信号線Ｓを第２映像信号線Ｓ２と呼ぶ。第１映像信号線Ｓ１の線部Ｌを第１線部Ｌ１と呼び、第２映像信号線Ｓ２の線部Ｌを第２線部Ｌ２と呼ぶ。さらに、図中下方の走査信号線Ｇを第１走査信号線Ｇ１と呼び、図中上方の走査信号線Ｇを第２走査信号線Ｇ２と呼ぶ。第１走査信号線Ｇ１は、図１１に示した副画素ＳＰｗ１，ＳＰｒ２２，ＳＰｇ２２，ＳＰｂ２のトランジスタＴＲを制御する。第２走査信号線Ｇ２は、図１１に示した副画素ＳＰｂ１，ＳＰｒ２１，ＳＰｇ２１，ＳＰｗ２のトランジスタＴＲを制御する。
【００７８】
第１画素電極ＰＥ１は、複数の第１Ａ電極部Ｅ１ａと、複数の第１Ｂ電極部Ｅ１ｂと、第１連結部ＣＰ１３と、第２連結部ＣＰ１４と、ベース部ＢＳ１とを備えている。図１２の例においては、各電極部Ｅ１ａ，Ｅ１ｂの数がいずれも５本であるが、これらの数が異なってもよい。図中下端の第１Ａ電極部Ｅ１ａは、ベース部ＢＳ１と一体化されているが、ベース部ＢＳ１と分かれていてもよい。
【００７９】
第１連結部ＣＰ１３は、第１線部Ｌ１と平行である。各電極部Ｅ１ａ，Ｅ１ｂの一端は、第１連結部ＣＰ１３に接続されている。中央の第１Ａ電極部Ｅ１ａと第１Ｂ電極部Ｅ１ｂの先端は、第２連結部ＣＰ１４に接続されている。さらに、これら第１Ａ電極部Ｅ１ａと第１Ｂ電極部Ｅ１ｂの間には、第１連結部ＣＰ１３から突出する突出部ＰＴが設けられている。突出部ＰＴは、各電極部Ｅ１ａ，Ｅ１ｂよりも第２方向Ｄ２における幅が小さい。
【００８０】
第２画素電極ＰＥ２は、複数の第２Ａ電極部Ｅ２ａと、複数の第２Ｂ電極部Ｅ２ｂと、連結部ＣＰ２１と、ベース部ＢＳ２とを備えている。各電極部Ｅ２ａ，Ｅ２ｂの一端は、連結部ＣＰ２１に接続されている。図１２の例においては、各電極部Ｅ１ａ，Ｅ１ｂの数がいずれも６本であるが、これらの数が異なってもよい。図中下端の第２Ａ電極部Ｅ２ａは、ベース部ＢＳ２と一体化されているが、ベース部ＢＳ２と分かれていてもよい。
【００８１】
各電極部Ｅ１ａ，Ｅ１ｂ，Ｅ２ａ，Ｅ２ｂの先端部は、遮光層２１の第２部分２１ｂと重畳している。各連結部ＣＰ１３，ＣＰ１４，ＣＰ２１は、少なくとも一部が第２部分２１ｂと重畳している。ベース部ＢＳ１，ＢＳ２は、第２部分２１ｂと重畳している。なお、画素電極ＰＥ１，ＰＥ２の各部と遮光層２１との関係は、この例に限られない。
【００８２】
第１Ａ電極部Ｅ１ａは、第１連結部ＣＰ１３側の端部において第１走査信号線Ｇ１の方向に窪んだ凹部Ｋ１１ａと、先端部において第２走査信号線Ｇ２の方向に突出した凸部Ｋ１２ａとを有している。第１Ｂ電極部Ｅ１ｂは、第１連結部ＣＰ１３側の端部において第２走査信号線Ｇ２の方向に窪んだ凹部Ｋ１１ｂと、先端部において第１走査信号線Ｇ１の方向に突出した凸部Ｋ１２ｂとを有している。各電極部Ｅ２ａ，Ｅ２ｂは、第１連結部ＣＰ１３側の端部において第１走査信号線Ｇ１の方向に窪んだ凹部Ｋ２１と、先端部において第２走査信号線Ｇ２の方向に突出した凸部Ｋ２２とを有している。これら凹部Ｋ１１ａ，Ｋ１１ｂ，Ｋ２１および凸部Ｋ１２ａ，Ｋ１２ｂ，Ｋ２２は、各画素電極ＰＥ１，ＰＥ２への電圧印加時に液晶分子の配向安定性を高める役割を有するが、必ずしも設ける必要はない。
【００８３】
第１Ａ電極部Ｅ１ａの凹部Ｋ１１ａと凸部Ｋ１２ａの間の部分は、第１線部Ｌ１に対し第１回転方向Ｒ１において第１角度θ１を有している。第１Ｂ電極部Ｅ１ｂの凹部Ｋ１１ｂと凸部Ｋ１２ｂの間の部分は、第１線部Ｌｂ１に対し第１回転方向Ｒ１において第２角度θ２を有している。第２Ａ電極部Ｅ２ａおよび第２Ｂ電極部Ｅ２ｂの凹部Ｋ２１と凸部Ｋ２２の間の部分は、第２線部Ｌ２に対し第１回転方向Ｒ１において第３角度θ３を有している。
【００８４】
第１角度θ１と第２角度θ２は、互いに異なる角度である。第３角度θ３は、第１角度θ１および第２角度θ２の一方と同じ角度であってもよいし、双方と異なる角度であってもよい。第１角度θ１および第２角度θ２の少なくとも一方は、２０°以上であることが好ましく、４０°以上であればより好ましい。また、第３角度θ３は、２０°以上であることが好ましく、４０°以上であればより好ましい。第１角度θ１と第３角度θ３は例えば鋭角であり、第２角度θ２は例えば鈍角である。図１２の例においては、第１角度θ１と第３角度θ３がいずれも８０°であり、第２角度θ２が１００°である。
【００８５】
図１２の例においては、ベース部ＢＳ１の端部ＥＤ１とベース部ＢＳ２の端部ＥＤ２が第１走査信号線Ｇ１と重畳している。端部ＥＤ１は、第１線部Ｌ１に対し第１回転方向Ｒ１において第１角度θ１を有している。端部ＥＤ２は、第２線部Ｌ２に対し第１回転方向Ｒ１において第２角度θ２を有している。これら端部ＥＤ１，ＥＤ２の傾斜は、第１方向Ｄ１に隣り合う画素電極ＰＥの形状に合わせてベース部ＢＳ１，ＢＳ２を最適化し、配向安定性を高めるためのものである。例えば、図１１における副画素ＳＰｗ２の第１画素電極ＰＥ１に着目すると、この第１画素電極ＰＥ１の端部ＥＤ１は、副画素ＳＰｂ２の第２画素電極ＰＥ２の第２Ｂ電極部Ｅ２ｂと平行である。すなわち、これら画素電極ＰＥ１，ＰＥ２の間の間隔が一定となるので、副画素ＳＰｗ２，ＳＰｂ２の境界における配向の乱れを抑制できる。
【００８６】
なお、図１１に示すように、副画素ＳＰｒ２１においては、各電極部Ｅ２Ａ，Ｅ２Ｂが副画素ＳＰｒ２２の各電極部Ｅ２Ａ，Ｅ２Ｂと第２方向Ｄ２に関して線対称な形状を有している。これにより、疑似的なマルチドメインが構成されている。青色および緑色の副画素ＳＰについても同様である。一方で、白色の副画素ＳＰｗ１，ＳＰｗ２は、異なる角度で傾く第１Ａ電極部Ｅ１ａおよび第１Ｂ電極部Ｅ１ｂを有するマルチドメインである。
【００８７】
本実施形態においても、仮に第２画素電極ＰＥ２を全ての副画素ＳＰに配置する場合、第１実施形態にて上述したフリッカスジが生じ得る。これに対し、本実施形態では他の色に比べて高輝度な白色の副画素ＳＰｗ１，ＳＰｗ２にマルチドメインの第１画素電極ＰＥ１を配置するので、フリッカスジを抑制できる。また、全ての副画素ＳＰにマルチドメインの第１画素電極ＰＥ１を配置する場合には輝度低下が生じ得る。これに対し、本実施形態では白色の副画素ＳＰｗ１，ＳＰｗ２以外の副画素ＳＰには第２画素電極ＰＥ２を配置するので、輝度低下を抑制できる。その他、本実施形態からは上述の各実施形態と同様の効果を得ることができる。
【００８８】
［第５実施形態］  
第５実施形態について説明する。本実施形態において特に言及しない構成については、第４実施形態と同様の構成を適用し得る。  
図１３は、第５実施形態の画素レイアウトに適用し得る具体的な構造の一例を示す平面図である。図１３の例は、白色の副画素ＳＰｗ１，ＳＰｗ２だけでなく、青色の副画素ＳＰｂ１，ＳＰｂ２にも第１画素電極ＰＥ１が配置されている点で、図１１と相違する。
【００８９】
図１３の例において、副画素ＳＰｂ２の第１画素電極ＰＥ１は、６本の第１Ａ電極部Ｅ１ａと、７本の第１Ｂ電極部Ｅ１ｂと、第１連結部ＣＰ１３と、第２連結部ＣＰ１４と、ベース部ＢＳ１と、突出部ＰＴとを有している。すなわち、副画素ＳＰｂ２の第１画素電極ＰＥ１における各電極部Ｅ１ａ，Ｅ１ｂの数は、副画素ＳＰｗ１の第１画素電極ＰＥ１よりも多い。このように、第１方向Ｄ１における幅が大きい副画素ＳＰｂ２の第１画素電極ＰＥ１において、各電極部Ｅ１ａ，Ｅ１ｂの数を多くすることで、副画素ＳＰｂのスペースを有効に活用して輝度を高めることができる。ただし、各電極部Ｅ１ａ，Ｅ１ｂの数は、副画素ＳＰｂ２，ＳＰｗ１で同じであってもよいし、副画素ＳＰｗ１の方が多くてもよい。また、各電極部Ｅ１ａ，Ｅ１ｂの幅は、副画素ＳＰｂ２の方が副画素ＳＰｗ１よりも太くてもよい。
【００９０】
副画素ＳＰｂ２の第１画素電極ＰＥ１は、第３連結部ＣＰ１５をさらに有している。第３連結部ＣＰ１５には、図中上端の２本の第１Ｂ電極部Ｅ１ｂが接続されている。図中最上端の第１Ｂ電極部Ｅ１ｂは、第１連結部ＣＰ１３に接続されていない。このような構造であれば、副画素ＳＰｂ２のスペースを有効に活用して、できるだけ多くの電極部を配置することができる。
【００９１】
なお、副画素ＳＰｂ２の第１画素電極ＰＥ１の形状は、マルチドメインを実現するものであれば、図示した例に限定されない。副画素ＳＰｂ１の第１画素電極ＰＥ１は、副画素ＳＰｂ２の第１画素電極ＰＥ１と同様の形状を有している。
【００９２】
例えばカラム反転駆動を実施する場合には、白色の副画素ＳＰｗ１，ＳＰｗ２と同じく、青色の副画素ＳＰｂ１，ＳＰｂ２において上述のフリッカスジが生じ得る。本実施形態のように、副画素ＳＰｂ１，ＳＰｂ２にも第１画素電極ＰＥ１を配置する場合には、副画素ＳＰｂ１，ＳＰｂ２に起因したフリッカスジを抑制することができる。その他、副画素ＳＰｗ１，ＳＰｗ２に第１画素電極ＰＥ１を配置する場合の効果として上述の各実施形態において説明したものと同様の効果を得ることができる。
【００９３】
以上の第１ないし第５実施形態においては、白色の副画素ＳＰに第１画素電極ＰＥ１を配置する例と、白色および青色の副画素ＳＰに第１画素電極ＰＥ１を配置する例とを開示した。しかしながら、第１画素電極ＰＥ１を配置する副画素ＳＰは、白色および青色に限られず、赤色および緑色の副画素ＳＰに配置されてもよい。また、赤色、緑色、青色および白色以外の副画素ＳＰを表示装置ＤＳＰが備える場合には、その副画素ＳＰに第１画素電極ＰＥ１を配置してもよい。
【００９４】
第１画素電極ＰＥ１の形状は、各実施形態にて開示したものに限られない。すなわち、第１画素電極ＰＥ１は、マルチドメインを実現するものであれば、種々の形状を適用し得る。第２画素電極ＰＥ２についても各実施形態にて開示したものに限られず、種々の形状を適用し得る。
【００９５】
本発明の実施形態として説明した表示装置を基にして、当業者が適宜設計変更して実施し得る全ての表示装置も、本発明の要旨を包含する限り、本発明の範囲に属する。
【００９６】
本発明の思想の範疇において、当業者であれば、各種の変形例に想到し得るものであり、それら変形例についても本発明の範囲に属するものと解される。例えば、上述の各実施形態に対して、当業者が適宜、構成要素の追加、削除、若しくは設計変更を行ったもの、又は、工程の追加、省略若しくは条件変更を行ったものも、本発明の要旨を備えている限り、本発明の範囲に含まれる。
【００９７】
また、各実施形態において述べた態様によりもたらされる他の作用効果について、本明細書の記載から明らかなもの、又は当業者において適宜想到し得るものについては、当然に本発明によりもたらされるものと解される。
【符号の説明】
【００９８】
ＤＳＰ…表示装置、ＰＮＬ…表示パネル、ＳＵＢ１…第１基板、ＳＵＢ２…第２基板、ＬＣ…液晶層、ＰＸ…画素、ＳＰ…副画素、ＰＥ１…第１画素電極、Ｅ１ａ…第１Ａ電極部、Ｅ１ｂ…第１Ｂ電極部、ＣＰ１１…第１連結部、ＣＰ１２…第２連結部、ＰＥ２…第２画素電極、Ｅ２ａ…第２Ａ電極部、Ｅ２ｂ…第２Ｂ電極部、ＣＰ２…連結部、Ｇ…走査信号線、Ｓ…映像信号線、Ｄ１…第１方向、Ｄ２…第２方向、Ｒ１…第１回転方向、Ｒ２…第２回転方向、２１…遮光層、３０…スペーサ。
【図１】
2019211568.tif 000003
【図２】
2019211568.tif 000004
【図３】
2019211568.tif 000005
【図４】
2019211568.tif 000006
【図５】
2019211568.tif 000007
【図６】
2019211568.tif 000008
【図７】
2019211568.tif 000009
【図８】
2019211568.tif 000010
【図９】
2019211568.tif 000011
【図１０】
2019211568.tif 000012
【図１１】
2019211568.tif 000013
【図１２】
2019211568.tif 000014
【図１３】
2019211568.tif 000015